(57)【要約】【課題】接続現場において裸光ファイバの劈開面を得て光ファイバ心線から裸光ファイバを露出させることが簡単に確実にでき、そのまま光ファイバの接続部品として使用することができる光ファイバコネクタ部品を提供する。【解決手段】光ファイバケーブル１の外被３を把持部９により把持し、第１部材１１と第２部材１２を重ねて第１保持用溝部分３１と第２保持用溝部分４２により光ファイバ心線２を挟んで保持し、第１部材１１の先端部１６と第２部材１２の先端部１８を中間部１６Ｍと中間部１８Ｍから折り曲げて除去する際に、第１切れ刃５１により光ファイバ心線２を切断し、中間部１６Ｍと中間部１８Ｍを第１部材１１の基部１５と第２部材１２の基部１７から折り曲げて除去し、第２切れ刃５２により被覆５だけに切れ目を入れて裸光ファイバ４から被覆５だけを剥き取り、さらに折り曲げることで第２部材１２の基部１７を把持部９から除去する。【選択図】図２
2010156900.tif 000002
【特許請求の範囲】
【請求項１】
光ファイバケーブルの外被を把持するための把持部と、
前記光ファイバケーブルから前記外被を除去した光ファイバ心線を保持するための第１保持用溝部分を有する第１部材と、
前記第１保持用溝部分に対応する位置に前記光ファイバ心線を保持する第２保持用溝部分を有し、前記第１部材を重ね合わせることで、前記第１保持用溝部分と前記第２保持用溝部分により前記光ファイバ心線を挟んで保持し、折り曲げることで前記把持部から除去可能になるように前記把持部に対して形成されている第２部材と、
前記第１部材は、先端部と基部と前記先端部と前記基部の間に配置された中間部とを有し、前記第２部材は、先端部と基部と前記先端部と前記基部の間に配置された中間部とを有し、
前記第１部材の前記先端部と前記第２部材の前記先端部を、前記第１部材の前記中間部と前記第２部材の前記中間部から折り曲げて除去する際に、前記光ファイバ心線を切断する第１切れ刃と、
前記第１部材の前記中間部と前記第２部材の前記中間部を、前記第１部材の前記基部と前記第２部材の前記基部から折り曲げて除去する際に、前記光ファイバ心線の被覆だけに切れ目を入れて前記被覆だけを前記裸光ファイバから剥き取る第２切れ刃と、を備えることを特徴とする光ファイバコネクタ部品。
【請求項２】
前記第１部材と前記第２部材は板状部材であり、前記第１保持用溝部分は前記第１部材の長手方向に沿って形成され、前記第２保持用溝部分は前記第２部材の長手方向に沿って形成されていることを特徴とする請求項１に記載の光ファイバコネクタ部品。
【請求項３】
前記第１部材は、前記先端部を前記中間部から折り曲げて除去するための第１屈曲部と、前記中間部を前記基部から折り曲げて除去するための第２屈曲部とを有しており、
前記第２部材は、前記先端部を前記中間部から折り曲げて除去するための第１切れ目部分と、前記中間部を前記基部から折り曲げて除去するための第２切れ目部分とを有していることを特徴とする請求項１または請求項２に記載の光ファイバコネクタ部品。
【請求項４】
前記第１切れ刃は、前記第２部材において一体的に形成され、前記第２切れ刃は、前記第１部材において一体的に形成されていることを特徴とする請求項１〜３のいずれか１つの項に記載の光ファイバコネクタ部品。
【請求項５】
前記第１切れ刃は、前記光ファイバ心線の前記被覆と前記裸光ファイバのクラッド部分に切れ目を入れる高さに設定されていることを特徴とする請求項４に記載の光ファイバコネクタ部品。
【請求項６】
前記第２切れ刃は、前記光ファイバ心線の前記被覆だけに切れ目を入れるためにＵ字形状を有することを特徴とする請求項４に記載の光ファイバコネクタ部品。
【請求項７】
樹脂により形成されていることを特徴とする請求項４〜請求項６のいずれか１つの項に記載の光ファイバコネクタ部品。
【請求項８】
前記第２部材の前記基部を折り曲げることで前記基部を前記把持部から除去するための切り欠き部を有することを特徴とする請求項７に記載の光ファイバコネクタ部品。
【請求項９】
前記第１保持用溝部分と前記第２保持用溝部分は、前記光ファイバ心線を挟んで保持するために、断面六角形状の保持溝を形成していることを特徴とする請求項１に記載の光ファイバコネクタ部品。
【請求項１０】
光ファイバケーブルの外被を把持部により把持し、
第１部材と第２部材を重ねることにより、前記第１部材の第１保持用溝部分と前記第２部材の第２保持用溝部分により、前記光ファイバケーブルから前記外被を除去した光ファイバ心線を挟んで保持し、
前記第１部材の先端部と前記第２部材の先端部を、前記第１部材の中間部と前記第２部材の中間部から折り曲げて除去する際に、第１切れ刃により前記光ファイバ心線を切断し、
前記第１部材の前記中間部と前記第２部材の前記中間部を、前記第１部材の基部と前記第２部材の基部から折り曲げて除去する際に、第２切れ刃により前記光ファイバ心線の被覆だけに切れ目を入れて前記裸光ファイバから前記被覆だけを剥き取り、
折り曲げることで前記第２部材の前記基部を前記把持部から除去することを特徴とする光ファイバ剥き取り方法。
【請求項１１】
前記第１部材は、前記先端部を前記中間部から折り曲げて除去するための第１屈曲部と、前記中間部を前記基部から折り曲げて除去するための第２屈曲部とを有しており、
前記第２部材は、前記先端部を前記中間部から折り曲げて除去するための第１切れ目部分と、前記中間部を前記基部から折り曲げて除去するための第２切れ目部分とを有していることを特徴とする請求項１０に記載の光ファイバ剥き取り方法。
【請求項１２】
前記第１切れ刃は、前記光ファイバ心線の前記被覆と前記裸光ファイバのクラッド部分に切れ目を入れる高さに設定されていることを特徴とする請求項１１に記載の光ファイバ剥き取り方法。
【請求項１３】
前記第２切れ刃は、前記光ファイバ心線の前記被覆だけに切れ目を入れるためにＵ字形状を有することを特徴とする請求項１２に記載の光ファイバ剥き取り方法。
【発明の詳細な説明】
【技術分野】
【０００１】
本発明は、光ファイバコネクタ部品および光ファイバ剥き取り方法に関し、特に光ファイバ同士を接続する現場で、光ファイバ心線を切断して裸光ファイバの劈開面を形成し光ファイバ心線から被覆を剥き取って裸光ファイバを露出させるための光ファイバコネクタ部品および光ファイバ剥き取り方法に関する。
【背景技術】
【０００２】
光ファイバケーブルの光ファイバ心線を切断する切断器には、高性能型と簡易型がある。図１２（Ａ）と図１２（Ｂ）に示すように光ファイバケーブル１００は、光ファイバ心線１０１と、この光ファイバ心線１０１を覆っている外被１０２を有する。光ファイバ心線１０１は、裸光ファイバ１０３と、この裸光ファイバ１０３を覆っている被覆１０４を有する。
簡易型の切断器は、光ファイバを曲げ板に載置して、光ファイバの端部をクランプして切断位置に傷を付け、光ファイバを曲げ板ごと湾曲させて劈開する構造である。この簡易型の切断器は、良好な切断角度を得るには熟練した作業者が作業をする必要があるが、安価であることから広く使われている。
【０００３】
また、作業者が接続現場で、光ファイバケーブル１００から外被１０２を切って光ファイバ心線１０１を露出させ、光ファイバ心線１０１から被覆１０４を除去して裸光ファイバ１０３を露出させる光ファイバの剥き取り作業を行うことがある。この光ファイバの剥き取り作業は、一般的な複数種類の工具を用いて次のように行われる。
【０００４】
この剥き取り作業では、作業者は、ニッパーなどの工具を用いて図１２（Ｃ）に示すように、光ファイバケーブル１００から外被１０２を切って光ファイバ心線１０１を露出させ、次に、図１２（Ｄ）と図１２（Ｅ）に示すように、作業者は、ストリッパーなどの工具を用いて光ファイバ心線１０１から被覆１０４を除去して裸光ファイバ１０３を露出させる。そして、図１２（Ｅ）に示すように、作業者は裸光ファイバ１０３の途中位置をカッター１０５で切断することで裸光ファイバ１０３の劈開面を得る。
【０００５】
このように裸光ファイバが露出された光ファイバを相手の光ファイバに接続するための関連技術は、特許文献１と特許文献２に開示されている。
特許文献１には、ケーブル外被から露出された光ファイバ心線の裸光ファイバに対して外部から無理な力が作用しない接続構造が提案されている。
特許文献２には、ケーブル外被から露出された光ファイバ心線の長さを規定して、裸光ファイバがクランプ部に押し込まれることで、裸光ファイバが相手の光ファイバに接続される接続構造が提案されている。
【先行技術文献】
【特許文献】
【０００６】
【特許文献１】特開２００５−１１４７７０号公報
【特許文献２】特開２００５−２０８２２０号公報
【発明の概要】
【発明が解決しようとする課題】
【０００７】
ところが、上述したように作業者が複数の工具を用いて、接続現場で光ファイバ心線から被覆を除去して裸光ファイバの劈開面を形成する作業は、大変面倒であり、この作業を行った後に、光ファイバケーブルの裸光ファイバを接続部品に取り付ける後作業が更に必要である。
【０００８】
特許文献１と特許文献２に開示されている接続構造を用いる場合に、光ファイバ心線から被覆を剥き取って、光ファイバ心線から裸光ファイバを露出させて裸光ファイバの劈開面を得る作業が、接続現場で簡単に確実にできることが望まれる。
【０００９】
そこで、本発明は上記課題を解消するために、接続現場において裸光ファイバの劈開面を得て光ファイバ心線から裸光ファイバを露出させることが簡単に確実にでき、しかもそのまま光ファイバの接続部品として使用することができ、接続現場における光ファイバ接続作業が容易にできる光ファイバコネクタ部品および光ファイバ剥き取り方法を提供することを目的とする。
【課題を解決するための手段】
【００１０】
上記課題を解消するために、本発明の光ファイバコネクタ部品は、光ファイバケーブルの外被を把持するための把持部と、
前記光ファイバケーブルから前記外被を除去した光ファイバ心線を保持するための第１保持用溝部分を有する第１部材と、
前記第１保持用溝部分に対応する位置に前記光ファイバ心線を保持する第２保持用溝部分を有し、前記第１部材を重ね合わせることで、前記第１保持用溝部分と前記第２保持用溝部分により前記光ファイバ心線を挟んで保持し、折り曲げることで前記把持部から除去可能になるように前記把持部に対して形成されている第２部材と、
前記第１部材は、先端部と基部と前記先端部と前記基部の間に配置された中間部とを有し、前記第２部材は、先端部と基部と前記先端部と前記基部の間に配置された中間部とを有し、
前記第１部材の前記先端部と前記第２部材の前記先端部を、前記第１部材の前記中間部と前記第２部材の前記中間部から折り曲げて除去する際に、前記光ファイバ心線を切断する第１切れ刃と、
前記第１部材の前記中間部と前記第２部材の前記中間部を、前記第１部材の前記基部と前記第２部材の前記基部から折り曲げて除去する際に、前記光ファイバ心線の被覆だけに切れ目を入れて前記被覆だけを前記裸光ファイバから剥き取る第２切れ刃と、を備えることを特徴とする。
【００１１】
本発明の光ファイバコネクタ部品は、好ましくは前記第１部材と前記第２部材は板状部材であり、前記第１保持用溝部分は前記第１部材の長手方向に沿って形成され、前記第２保持用溝部分は前記第２部材の長手方向に沿って形成されていることを特徴とする。
本発明の光ファイバコネクタ部品は、好ましくは前記第１部材は、前記先端部を前記中間部から折り曲げて除去するための第１屈曲部と、前記中間部を前記基部から折り曲げて除去するための第２屈曲部とを有しており、
前記第２部材は、前記先端部を前記中間部から折り曲げて除去するための第１切れ目部分と、前記中間部を前記基部から折り曲げて除去するための第２切れ目部分とを有していることを特徴とする。
【００１２】
本発明の光ファイバコネクタ部品は、好ましくは前記第１切れ刃は、前記第２部材において一体的に形成され、前記第２切れ刃は、前記第１部材において一体的に形成されていることを特徴とする。
本発明の光ファイバコネクタ部品は、好ましくは前記第１切れ刃は、前記光ファイバ心線の前記被覆と前記裸光ファイバのクラッド部分に切れ目を入れる高さに設定されていることを特徴とする。
本発明の光ファイバコネクタ部品は、好ましくは前記第２切れ刃は、前記光ファイバ心線の前記被覆だけに切れ目を入れるためにＵ字形状を有することを特徴とする。
【００１３】
本発明の光ファイバコネクタ部品は、好ましくは樹脂により形成されていることを特徴とする。
本発明の光ファイバコネクタ部品は、好ましくは前記第２部材の前記基部を折り曲げることで前記基部を前記把持部から除去するための切り欠き部を有することを特徴とする。
本発明の光ファイバコネクタ部品は、好ましくは前記第１保持用溝部分と前記第２保持用溝部分は、前記光ファイバ心線を挟んで保持するために、断面六角形状の保持溝を形成していることを特徴とする。
【００１４】
本発明の光ファイバ剥き取り方法は、光ファイバケーブルの外被を把持部により把持し、第１部材と第２部材を重ねることにより、前記第１部材の第１保持用溝部分と前記第２部材の第２保持用溝部分により、前記光ファイバケーブルから前記外被を除去した光ファイバ心線を挟んで保持し、前記第１部材の先端部と前記第２部材の先端部を、前記第１部材の中間部と前記第２部材の中間部から折り曲げて除去する際に、第１切れ刃により前記光ファイバ心線を切断し、前記第１部材の前記中間部と前記第２部材の前記中間部を、前記第１部材の基部と前記第２部材の基部から折り曲げて除去する際に、第２切れ刃により前記光ファイバ心線の被覆だけに切れ目を入れて前記裸光ファイバから前記被覆だけを剥き取り、折り曲げることで前記第２部材の前記基部を前記把持部から除去することを特徴とする。
【００１５】
本発明の光ファイバ剥き取り方法は、前記第１部材は、前記先端部を前記中間部から折り曲げて除去するための第１屈曲部と、前記中間部を前記基部から折り曲げて除去するための第２屈曲部とを有しており、前記第２部材は、前記先端部を前記中間部から折り曲げて除去するための第１切れ目部分と、前記中間部を前記基部から折り曲げて除去するための第２切れ目部分とを有していることを特徴とする。
【００１６】
本発明の光ファイバ剥き取り方法は、前記第１切れ刃は、前記光ファイバ心線の前記被覆と前記裸光ファイバのクラッド部分に切れ目を入れる高さに設定されていることを特徴とする。
本発明の光ファイバ剥き取り方法は、前記第２切れ刃は、前記光ファイバ心線の前記被覆だけに切れ目を入れるためにＵ字形状を有することを特徴とする。
【発明の効果】
【００１７】
本発明の光ファイバコネクタ部品によれば、接続現場において裸光ファイバの劈開面を得て光ファイバ心線から裸光ファイバを露出させることが簡単に確実にでき、しかもそのまま光ファイバの接続部品として使用することができ、接続現場における光ファイバ接続作業が容易にできる。
本発明の光ファイバ剥き取り方法によれば、接続現場において裸光ファイバの劈開面を得て光ファイバ心線から裸光ファイバを露出させることが簡単に確実にでき、しかもそのまま光ファイバの接続部品として使用することができ、接続現場における光ファイバ接続作業が容易にできる。
【図面の簡単な説明】
【００１８】
【図１】本発明の光ファイバコネクタ部品の好ましい実施形態を示す正面図である。
【図２】本発明の光ファイバコネクタ部品の好ましい実施形態を示す分解斜視図である。
【図３】図１の光ファイバコネクタ部品のＧ―Ｇ線における第１切れ刃付近を示す断面である。
【図４】第１切れ刃により光ファイバ心線の被覆を切断し、裸光ファイバのクラッド部分に切れ目を入れようとする状態を示す図である。
【図５】図１の光ファイバコネクタ部品のＦ―Ｆ線における第２切れ刃付近を示し、第２切れ刃により光ファイバ心線の被覆だけを切断する状態を示す断面図である。
【図６】図１の  を組み立てる様子を斜視図である。
【図７】光ファイバ心線の裸光ファイバの劈開面を形成し、光ファイバ心線から被覆だけを剥き取る様子を示す斜視図である。
【図８】剥き取った光ファイバ心線を接続対象であるフェルールに挿入して接続使用とする状態を示す図である。
【図９】本発明の別の実施形態を示す図である。
【図１０】本発明の別の実施形態を示す図である。
【図１１】本発明の別の実施形態を示す図である。
【図１２】従来の光ファイバケーブルにおける剥き取り作業を示す図である。
【発明を実施するための形態】
【００１９】
以下、図面を参照して、本発明の好ましい実施形態を詳細に説明する。  
図１は、本発明の光ファイバコネクタ部品の好ましい実施形態を示し、光ファイバケーブルの光ファイバ心線を保持している状態を示す正面図であり、図２は、本発明の光ファイバコネクタ部品の好ましい実施形態と光ファイバケーブルを示す分解斜視図である。
図１と図２に示す光ファイバコネクタ部品１０は、光ファイバケーブルの把持部９と、第１部材１１と、第２部材１２とを有する。光ファイバコネクタ部品１０は、樹脂材料により作られており、樹脂材料としては、例えばエポキシ系樹脂、ＰＰＳ（ポリフェニレンサルファイド）系樹脂を採用することができる。また、樹脂材料としては、これらの樹脂にガラスフィラーを混入したものを用いても良い。
【００２０】
図１と図２に示す光ファイバケーブル１は、光ファイバ心線２と、この光ファイバ心線２の周囲を覆っている外被３とを有している。光ファイバ心線２は、裸光ファイバ４と、この裸光ファイバ４の周囲を覆っている被覆５を有している。光ファイバケーブル１は、例えばドロップケーブルやインドアケーブルなどの光ファイバケーブルであり、外被３は、光ファイバ心線２と図示しないテンションメンバを被覆している。
【００２１】
光ファイバケーブルの把持部９は、光ファイバケーブル１の外被３をはめ込んで位置決めすることで把持する部分である。光ファイバケーブルの把持部９は、この外被３をはめ込んで固定するために、底部９Ａと第１側壁部９Ｂと第２側壁部９Ｃを有している。底部９Ａと第１側壁部９Ｂと第２側壁部９Ｃは、光ファイバケーブル１の外被３をはめ込んで保持するための溝部９Ｋを形成している。特徴的なのは、この把持部９は、最終的に光ファイバケーブルの接続部品として用いることができることである。
【００２２】
第１部材１１と第２部材１２は、同じような厚みを有する板状部材であり、長手方向Ｌに沿って形成されている。第１部材１１と第２部材１２は別々の部材であり、第１部材１１は独立した部材である。これに対して、第２部材１２は把持部９に対して一体的に形成されている部材である。
【００２３】
図１と図２に示すように、第１部材１１は、第２部材１２に対して重ね合わせることで、光ファイバケーブル１の光ファイバ心線２を挟み込んで保持することができる。第１部材１１は、基部１５と、この基部１５とは反対側の先端部１６と、この基部１５と先端部１６の間に形成されている中間部１６Ｍと、を有しており、３つの部分に区分されている。
【００２４】
第２部材１２は、基部１７と、この基部１７とは反対側の先端部１８と、この基部１７と先端部１８の間に形成された中間部１８Ｍと、を有しており、同様に３つの部分に区分されている。第２部材１２の基部１７は光ファイバケーブルの把持部９の端部９Ｄに対して連続して接続されており、把持部９と第２部材１２は一体物である。
【００２５】
図１と図２に示すように、第１部材１１は、第１屈曲部２１と、第２屈曲部２２を有している。第１屈曲部２１と第２屈曲部２２は、先端部１６と中間部１６Ｍと基部１５とを区分している。第１屈曲部２１と第２屈曲部２２は、表面２３側から形成されているほぼＶ字形の断面を有する屈曲して折り曲げるための溝部である。第１屈曲部２１と第２屈曲部２２の形成方向は、長手方向Ｌとは直交する方向である。第１屈曲部２１は、基部１５から距離Ｓ１のところに形成されており、第２屈曲部２２は、基部１５から距離Ｓ２のところに形成されている。
【００２６】
第１部材１１の裏面２４には、第１保持用溝部分３１が、基部１５から先端部１６まで長手方向Ｌに沿って連続して形成されている。この第１保持用溝部分３１は、台形状の断面を有している。
【００２７】
図１と図２に示すように、第２部材１２は、第１切れ目部分３７と第２切れ目部分３８を有している。第１切れ目部分３７と第２切れ目部分３８は、先端部１８と中間部１７Ｍと基部１７とを区分している。第１切れ目部分３７と第２切れ目部分３８は、裏面３３側から形成されているほぼＶ字形の断面を有する溝部である。第１切れ目部分３７と第２切れ目部分３８の形成方向は、長手方向Ｌとは直交する方向である。第１切れ目部分３７は、基部１７から距離Ｓ３のところに形成されており、第２切れ目部分３８は、基部１７から距離Ｓ４のところに形成されている。これにより、第１切れ目部分３７は、第１屈曲部２１に対応した位置にあり、第２切れ目部分３８は、第２屈曲部２２に対応した位置にある。
【００２８】
図１と図２に示すように、第２部材１２の表面３４には、長手方向に沿って第２保持用溝部分４２が連続して形成されている。この第２保持用溝部分４２は、台形状の断面を有している。これにより、第１部材１１を第２部材１２に対して重ね合わせることで、第１保持用溝部分３１と第２保持用溝部分４２は、正六角形形状の断面を形成する。これにより、第１保持用溝部分３１と第２保持用溝部分４２は、たとえ長い光ファイバ心線２であっても光ファイバ心線２の外周面を、確実にしかも容易に挟んで保持することができる。
なお、第２部材１２の基部１７側には、この第２部材１２が光ファイバケーブル１の把持部９の端部９Ｄから折って切り離せるようにするために、好ましくは切り欠き部３９が形成されている。
【００２９】
光ファイバコネクタ部品１０は、さらに第１切れ刃５１と第２切れ刃５２を有している。第１切れ刃５１は、第２部材１２の第２保持用溝部分４２のところに突出して形成されており、第１切れ目部分３７と第１屈曲部２１に対応した位置に配置されている。
【００３０】
また、第２切れ刃５２は、第１部材１１の第１保持用溝部分３１のところに突出して形成されており、第２切れ目部分３８と第２屈曲部２２に対応した位置に配置されている。第１切れ刃５１は第２部材１２の表面３４において、Ｚ１方向（上向き方向）に沿って突出して形成されている。第２切れ刃５２は第１部材１１の裏面２４において、Ｚ２方向（下向き方向）に沿って突出して形成されている。図２に示す第１切れ刃５１と第２切れ刃５２は、例えば好ましくはともに樹脂材料により形成されている。すなわち、第１切れ刃５１は、第２部材１２を形成する際に樹脂の一体成型により同時に形成されている。同様にして、第２切れ刃５２は、第１部材１１を形成する際に樹脂の一体成型により同時に形成されている。
【００３１】
図３は、図１に示す光ファイバコネクタ部品１０における第１切れ刃５１付近を示すＧ―Ｇ線における断面を示している。図４は、第１切れ刃５１により光ファイバ心線２の被覆５と裸光ファイバ４を切断しようとする様子を示す図である。
図３に示すように、第１部材１１と第２部材１２の断面形状は長方形状であり、第１保持用溝部分３１と第２保持用溝部分４２は正六角形状の保持用溝５９を形成している。光ファイバ心線２の被覆５の外周面は、保持用溝５９内において移動しないように確実に保持される。これにより、第１部材１１と第２部材１２は、長い光ファイバ心線２であっても、光ファイバ心線２は全長に渡って確実に容易に固定することができる。
【００３２】
図３の拡大部分Ｂに示すように、第１切れ刃５１は、例えば長方形状であり、第１切れ刃５１の刃先５１Ｃの幅Ｗは、光ファイバ心線２の被覆５の直径ｄよりも大きく設定されている。このようにするのは、第１切れ刃５１の刃先５１Ｃが、被覆５の一部分を被覆５の直径にわたって確実に切断できるようにするためである。
【００３３】
図３に示すように、光ファイバ心線２の被覆５の外周面が保持用溝５９内に保持されている状態では、第１切れ刃５１の刃先５１ＣのＺ方向の高さは、光ファイバ心線２の被覆５の一部を切断するだけでなく、裸光ファイバ４のクラッド部分４Ｃまで切り込みを入れることができる値に設定されている。しかし、好ましくは第１切れ刃５１の刃先５１Ｃは、裸光ファイバ４のコア部分４Ｂまでは切り込みを入れない。このようにするのは、裸光ファイバ４に好ましい劈開面を形成するためである。
【００３４】
図４は、保持用溝５９内に光ファイバ心線２を保持することで、第１切れ刃５１の切れ刃５１Ｃが、Ｚ１方向に沿って光ファイバ心線２の被覆５を切断し、そしてクラッド部分４Ｃまで切り込みを入れることができることを示している。
【００３５】
次に、図５は、図１に示す光ファイバコネクタ部品１０における第２切れ刃５２付近を示すＦ―Ｆ線における断面を示している。
第２切れ刃５２の切れ刃５２Ｃは、ほぼ逆Ｕ字型であり、Ｚ２方向に沿って光ファイバ心線２の被覆５だけを切断して、裸光ファイバ４には全く切り込みを入れないようになっている。これにより、図５（Ａ）に示すように第１部材１１を第２部材に重ねる前の状態から、図５（Ｂ）に示すように第１部材１１を第２部材に重ねた後の状態になると、第２切れ刃５２の切れ刃５２Ｃは、Ｚ２方向に沿って被覆５だけを切断して裸光ファイバ４には全く切り込みを入れない。これにより、光ファイバ心線２から被覆５だけを剥き取って除去することが可能となる。
【００３６】
次に、図６〜図８を参照して、光ファイバコネクタ部品１０を用いて、光ファイバケーブル１の光ファイバ心線２の裸光ファイバ４に劈開面を形成し、しかも光ファイバ心線２から被覆５だけを剥き取って裸光ファイバ４を露出させるための光ファイバ剥き取り方法について説明する。
【００３７】
図６（Ａ）から図６（Ｂ）に示すように、作業者は、光ファイバケーブル１の光ファイバ心線２を第２部材１２の第２保持用溝部分４２にはめ込むとともに、外被３を把持部９の溝部９Ｋ内にはめ込んで確実に把持させる。
【００３８】
次に、図６（Ｂ）から図６（Ｃ）に示すように、作業者は、第１部材１１を第２部材１２に対して重ね合わせる。これにより、図２に示す光ファイバ心線２の被覆５の外周面は、第１保持用溝部分３１と第２保持用溝部分４２により保持される。これにより、光ファイバ心線２は第２部材１２に対して長手方向Ｌに沿って移動しないように確実に容易に固定できる。しかも、光ファイバケーブル１の外被３は、長手方向Ｌに関して移動しないように把持部９により固定できる。この状態では、光ファイバ心線２の先端部２Ｓが第２部材１２の第２保持用溝部分４２から所定長さだけ突出している。
【００３９】
次に、作業者は、図６（Ｃ）に示す第１部材１１の先端部１６と第２部材１２の先端部１８側を持って、Ｐ方向に折り曲げることにより、第１部材１１の先端部１６と第２部材１２の先端部１８は、第１部材１１の中間部１６Ｍと第２部材１２の中間部１８Ｍから、第１屈曲部２１と第１切れ目部分３７のところで折り曲げて切り離すことができる。
【００４０】
このように、先端部１６と先端部１８が切り離される際には、図３と図４に示すように、第１切れ刃５１は光ファイバ心線２の被覆５を切断し、裸光ファイバ４のクラッド部分４Ｃに切り込みを入れることができる。従って、先端部１６と先端部１８が切り離される際に、図７に示すように、光ファイバ心線２の被覆５と裸光ファイバ４は切断され、裸光ファイバ４の端面は、良好な鏡面状態の劈開面４Ｒとなる。
【００４１】
図６（Ｃ）に示す先端部１６，１８が、中間部１６Ｍ、１８Ｍから折り曲げて切り離されると、図７（Ａ）に示すように、まだ中間部１６Ｍ、１８Ｍと基部１５，１７が残っている。
さらに、図７（Ａ）に示すように、作業者は、第１部材１１の中間部１６Ｍと第２部材１２の中間部１８Ｍを、Ｐ１方向に折り曲げることにより、図７（Ｂ）に示すように第１部材１１の中間部１６Ｍと第２部材１２の中間部１８Ｍは、第１部材１１の基部１５と第２部材１２の基部１７から、第２屈曲部２２と第２切れ目部分３８のところで折り曲げて切り離すことができる。このように、中間部１６Ｍ、１８Ｍが切り離される際には、図５に示すように第２切れ刃５２が光ファイバ心線２の被覆５だけに切れ目を入れることから、光ファイバ心線２の裸光ファイバ４から被覆５だけを剥き取って除去することができる。
【００４２】
その後、作業者は、図７（Ｂ）に示す残った第１部材１１の基部１５を第２部材１２の基部１７から取り除き、そして第２部材１２の基部１７を切り込み部３９のところでＰ２方向に折り曲げることにより、把持部９だけが残った状態になる。
把持部９から基部１５，１７を取り除いた領域には、光ファイバ心線２の被覆５が残っている。光ファイバ心線２の裸光ファイバ４は必要に応じて切断することで所定の長さにして、図７（Ｃ）と図８に示すように、光ファイバ接続コネクタ８０のフェルール８１内の裸光ファイバ８２に対して端面接合により光学的に接続される。このように、把持部９は、光コネクタ部品としてそのまま使用することができる。
【００４３】
これにより、接続現場において裸光ファイバの劈開面を得て光ファイバ心線から裸光ファイバを露出させることが簡単に確実にでき、しかもそのまま光ファイバの接続部品として使用することができ、接続現場における光ファイバ接続作業が容易にできる。
【００４４】
図７（Ｃ）と図８に示す光ファイバ接続コネクタ８０には接続しようとする相手方の光ファイバケーブル９０が接続されており、光ファイバケーブル９０と光ファイバケーブル１は、光ファイバ接続コネクタ８０により９０度方向変換している。
しかし、これに限らず、図９に示すように、光ファイバケーブル９０と光ファイバケーブル１は、光ファイバ接続コネクタ８０Ｂにより直線上に接続することも可能である。
【００４５】
ところで、本発明は、上記実施形態に限定されず種々の変形例を採用できる。
図１に示すように、第１部材１１の第１屈曲部２１と第２屈曲部２２と第２部材１２の第１切れ目部分３７と第２切れ目部分３８は、断面Ｖ字形の溝部であるが、例えば断面Ｕ字形の溝部などの他の形状であっても良い。
【００４６】
第１切れ刃５１と第２切れ刃５２は、樹脂で一体成型で形成すれば部品点数を減らすことができるが、第１切れ刃５１と第２切れ刃５２は別部材で作製して第１部材あるいは第２部材に対して、例えば接着により固定しても良い。
第１切れ刃５１と第２切れ刃５２は、共に第１部材１１に形成しても良く、あるいは共に第２部材１２に形成しても良い。
図１０と図１１は、本発明の別の実施形態を示している。
図１０の実施形態では、２つの屈曲部２１Ｒが、第１部品１１Ｒの長手方向に対して直交する方向に形成されている。２つの切れ目部分３７Ｒが、第２部品１２Ｒの長手方向に対して直交する方向に形成されている。
【００４７】
図１１の実施形態では、１つの屈曲部２１Ｓが、第１部品１１Ｒの長手方向に対して直交する方向に沿って全外周にわたって形成されている。２つの切れ目部分３７Ｒが、第２部品１２Ｒの長手方向に対して直交する方向に形成されている。図１１の実施形態では、第１部品１１Ｒと第２部品１２Ｒの曲げる方向は任意でよく、またねじって折っても良い。
【００４８】
これらの屈曲部２１Ｒ、切れ目部分３７Ｒ、屈曲部２１Ｓを形成するための刃物の材料は、成形体刃に限らない。例えばジルコニア、金属（超硬材料）により形成することができる。例えばジルコニア、金属（超硬材料）以外の材料で刃物を作る場合には、例えばインサート成形により作ることができる。
【符号の説明】
【００４９】
１      光ファイバケーブル
２      光ファイバ心線
３      外被
４      裸光ファイバ
５      被覆
９      把持部
１０    光ファイバコネクタ部品
１１    第１部品
１２    第２部品
１５    第１部材の基部
１６    第１部材の先端部
１６Ｍ  第１部材の中間部
１７    第２部材の基部
１８    第２部材の先端部
１８Ｍ  第２部材の中間部
２１    第１屈曲部
２２    第２屈曲部
３１    第１保持用溝部
３２    第２保持用溝部
３７    第１切れ目部分
３８    第２切れ目部分
５１    第１切れ刃
５２    第２切れ刃
【図１】
2010156900.tif 000003
【図２】
2010156900.tif 000004
【図３】
2010156900.tif 000005
【図４】
2010156900.tif 000006
【図５】
2010156900.tif 000007
【図６】
2010156900.tif 000008
【図７】
2010156900.tif 000009
【図８】
2010156900.tif 000010
【図９】
2010156900.tif 000011
【図１０】
2010156900.tif 000012
【図１１】
2010156900.tif 000013
【図１２】
2010156900.tif 000014